(57)【要約】      （修正有）【課題】  光学ファインダの視野を、最大サイズの撮影画像を比例縮小した画像に対応する状態と、その縮小画像の縦横比を逆転させた状態とに変換できる光学ファインダ装置を提供する。【解決手段】第１マスク部材群は、視野の縦方向に間隔をおいて配置された１対の第１マスク部材を備え、第１マスク部材の相対間隔を変更して視野を縦方向に調整する。第２マスク部材群は、視野の横方向に間隔をおいて配置された１対の第２マスク部材を備え、第２マスク部材の相対間隔を変更して視野を横方向に調整する。マスク駆動機構は、第１マスク部材群および第２マスク部材群を移動させて視野を制御し、視野が撮影画像の最大サイズに対応する横長の矩形に設定された第１状態と、視野が第１状態の縮小相似形をなす所定寸法の矩形である第２状態と、視野が第２状態の矩形を９０度回転させた形状である第３状態と、を切替可能である。【選択図】  図１
2006285009.tif 000002
【特許請求の範囲】
【請求項１】
被写体像を所定視野内で視認可能な光学ファインダ装置であって、
前記視野の縦方向に間隔をおいて配置された１対の第１マスク部材を備え、前記第１マスク部材の相対間隔を変更して前記視野を縦方向に調整する第１マスク部材群と、
前記視野の横方向に間隔をおいて配置された１対の第２マスク部材を備え、前記第２マスク部材の相対間隔を変更して前記視野を横方向に調整する第２マスク部材群と、
前記第１マスク部材群および第２マスク部材群を移動させて前記視野を制御し、前記視野が撮影画像の最大サイズに対応する横長の矩形に設定された第１状態と、前記視野が前記第１状態の縮小相似形をなす所定寸法の矩形である第２状態と、前記視野が前記第２状態の矩形を９０度回転させた形状である第３状態と、を切替可能なマスク駆動機構と、
を有することを特徴とする光学ファインダ装置。
【請求項２】
前記マスク駆動機構は、前記第１マスク部材群および前記第２マスク部材群のうち、一方のマスク部材群を移動させる第１駆動機構と、前記第１駆動機構に伝達される動力を変換して他方のマスク部材群を前記一方のマスク部材群に同期駆動させる第２駆動機構とを有し、
前記第１駆動機構および前記第２駆動機構の少なくとも一方は、前記第１状態と前記第２状態との変換時に前記視野の縦横比を維持しつつ前記第１マスク部材群または前記第２マスク部材群の動作を案内する第１区間と、前記第２状態と前記第３状態との変換時に前記視野の縦横比を維持することなく前記第１マスク部材群または前記第２マスク部材群の動作を案内する第２区間とを備えたカムを有することを特徴とする請求項１に記載の光学ファインダ装置。
【請求項３】
前記一方のマスク部材群および前記他方のマスク部材群が対向配置され、
前記第１駆動機構は、前記一方のマスク部材群の２つのマスク部材を連結する差動歯車と、前記一方のマスク部材群の片方のマスク部材を動作させる駆動部とを有し、
前記第２駆動機構は、前記一方のマスク部材群または前記他方のマスク部材群のいずれかのマスク部材に形成され、かつ前記第１区間および前記第２区間を構成する溝がＬ字状に接続されて連続するカム溝と、前記カム溝が形成された側のマスク部材群と対向配置されたマスク部材群に形成されて前記カム溝に係合するカムピンと、を有することを特徴とする請求項２に記載の光学ファインダ装置。
【請求項４】
前記一方のマスク部材群および前記他方のマスク部材群におけるマスク部材にはカムピンが形成され、
前記第１駆動機構は、前記一方のマスク部材群の前記カムピンと係合し、前記第１区間および前記第２区間を構成する溝が連続するカム溝が刻設されてなる第１円筒カムを有し、
前記第２駆動機構は、前記他方のマスク部材群の前記カムピンと係合し、前記他方のマスク部材群の相対間隔を一定比率で増減させるカム溝が刻設されてなる第２円筒カムと、前記第１円筒カムの回転を前記第２円筒カムに伝達する伝達機構と、を有することを特徴とする請求項２に記載の光学ファインダ装置。
【請求項５】
前記第１マスク部材群および前記第２マスク部材群を通過した光束に基づく前記視野内の像を所定の倍率範囲で変倍する変倍光学系と、
前記第１マスク部材群および前記第２マスク部材群の状態を検出し、前記視野内の画像サイズが前記第１状態の画像サイズと一致するように前記変倍光学系の倍率を調整する倍率調整部と、
をさらに有することを特徴とする請求項１から請求項４のいずれか１項に記載の光学ファインダ装置。
【請求項６】
請求項１から請求項５のいずれか１項に記載の光学ファインダ装置と、
前記被写体像を撮影して前記撮影画像を生成するための画像信号を出力する光電変換素子を備え、前記撮影画像の任意の部分領域に対応する前記画像信号を抽出可能な撮像素子と、
前記第１マスク部材群および前記第２マスク部材群の状態に応じて、前記視野と前記画像信号の抽出範囲とを設定する制御部と、
を有することを特徴とする電子カメラ。
【発明の詳細な説明】
【技術分野】
【０００１】
本発明はカメラに搭載される光学ファインダ装置に関する。
【背景技術】
【０００２】
光学ファインダを備えたカメラにおいて、視野枠の移動によってファインダの視野を変化させる構成は、例えば特許文献１から特許文献３に示すように従来から公知である。
【特許文献１】特開平８−２９８３７号公報
【特許文献２】特開平８−３６２１９号公報
【特許文献３】特開平９−２３６８６７号公報
【発明の開示】
【発明が解決しようとする課題】
【０００３】
しかし、上記特許文献に示す光学ファインダの構成では視野の縦横比の変更か、あるいは視野の縦横変換のいずれか一方のみしか実現できない点で改善の余地があった。特に撮像素子の部分読み出しが可能な電子カメラでは、最大サイズの撮影画像を比例縮小した範囲での撮影や、その縮小サイズの縦横比を逆転させてカメラ正位置で縦方向撮影を行うことなども可能である。そのため、かかる撮影画像のサイズ変化に対応して視野を変更できるファインダが要望されていた。
【０００４】
本発明は上記従来技術の欠点を除くためにされたものであり、その目的は、光学ファインダの視野を、最大サイズの撮影画像を比例縮小した画像に対応する状態と、その縮小画像の縦横比を逆転させた状態とに変換できる光学ファインダ装置を提供することである。
【課題を解決するための手段】
【０００５】
第１の発明は、被写体像を所定視野内で視認可能な光学ファインダ装置であって、第１マスク部材群と、第２マスク部材群と、マスク駆動機構とを有することを特徴とする。第１マスク部材群は、視野の縦方向に間隔をおいて配置された１対の第１マスク部材を備え、第１マスク部材の相対間隔を変更して視野を縦方向に調整する。第２マスク部材群は、視野の横方向に間隔をおいて配置された１対の第２マスク部材を備え、第２マスク部材の相対間隔を変更して視野を横方向に調整する。マスク駆動機構は、第１マスク部材群および第２マスク部材群を移動させて視野を制御し、視野が撮影画像の最大サイズに対応する横長の矩形に設定された第１状態と、視野が第１状態の縮小相似形をなす所定寸法の矩形である第２状態と、視野が第２状態の矩形を９０度回転させた形状である第３状態と、を切替可能である。
【０００６】
第２の発明は、第１の発明において、マスク駆動機構は、第１マスク部材群および第２マスク部材群のうち、一方のマスク部材群を移動させる第１駆動機構と、第１駆動機構に伝達される動力を変換して他方のマスク部材群を一方のマスク部材群に同期駆動させる第２駆動機構とを有し、第１駆動機構および第２駆動機構の少なくとも一方は、第１状態と第２状態との変換時に視野の縦横比を維持しつつ第１マスク部材群または第２マスク部材群の動作を案内する第１区間と、第２状態と第３状態との変換時に視野の縦横比を維持することなく第１マスク部材群または第２マスク部材群の動作を案内する第２区間とを備えたカムを有することを特徴とする。
【０００７】
第３の発明は、第２の発明において、一方のマスク部材群および他方のマスク部材群が対向配置され、第１駆動機構は、一方のマスク部材群の２つのマスク部材を連結する差動歯車と、一方のマスク部材群の片方のマスク部材を動作させる駆動部とを有し、第２駆動機構は、一方のマスク部材群または他方のマスク部材群のいずれかのマスク部材に形成され、かつ第１区間および第２区間を構成する溝がＬ字状に接続されて連続するカム溝と、カム溝が形成された側のマスク部材群と対向配置されたマスク部材群に形成されてカム溝に係合するカムピンと、を有することを特徴とする。
【０００８】
第４の発明は、第２の発明において、一方のマスク部材群および他方のマスク部材群におけるマスク部材にはカムピンが形成され、第１駆動機構は、一方のマスク部材群のカムピンと係合し、第１区間および第２区間を構成する溝が連続するカム溝が刻設されてなる第１円筒カムを有し、第２駆動機構は、他方のマスク部材群のカムピンと係合し、他方のマスク部材群の相対間隔を一定比率で増減させるカム溝が刻設されてなる第２円筒カムと、第１円筒カムの回転を第２円筒カムに伝達する伝達機構と、を有することを特徴とする。  第５の発明は、第１から第４のいずれかの発明において、第１マスク部材群および第２マスク部材群を通過した光束に基づく視野内の像を所定の倍率範囲で変倍する変倍光学系と、第１マスク部材群および第２マスク部材群の状態を検出し、視野内の画像サイズが第１状態の画像サイズと一致するように変倍光学系の倍率を調整する倍率調整部と、をさらに有することを特徴とする。
【０００９】
第６の発明に係る電子カメラは、第１から第５の発明のいずれかの光学ファインダ装置と、被写体像を撮影して撮影画像を生成するための画像信号を出力する光電変換素子を備え、撮影画像の任意の部分領域に対応する画像信号を抽出可能な撮像素子と、第１マスク部材群および第２マスク部材群の状態に応じて、視野と画像信号の抽出範囲とを設定する制御部と、を有することを特徴とする。
【発明の効果】
【００１０】
本発明によれば、ファインダ画面での被写体像の視野を、撮影画像の最大サイズに対応する第１状態と、第１状態の縮小相似形をなす形状の第２状態と、第２状態の形状を９０度回転させた形状の第３状態と、の間で切り替えることができる。
【発明を実施するための最良の形態】
【００１１】
（第１実施形態の説明）
図１は、第１実施形態の電子カメラの構成を示す概要図である。
電子カメラの中心部には、撮影レンズ１０と、メインミラー１１と、シャッタ１２と、ＸＹアドレス型の撮像素子１３（例えばＣＭＯＳ等）とがレンズ光軸に沿って配置されている。一方、電子カメラの上部領域にはファインダ光学系が配置されている。また、電子カメラの内部には、制御部１４と、それぞれ制御部１４に接続された表示回路１５およびメモリ１６が配置されている。
【００１２】
メインミラー１１は、シャッタ１２および撮像素子１３の前方で傾斜状態となる観察位置と、上方に跳ね上げられて撮影光路から外れた状態となる退避位置とを切り替えることができる。観察位置でのメインミラー１１は、撮影レンズ１０のからの光束を上方に反射させてファインダ光学系に導くようになっている。
一方、メインミラー１１が退避位置にあるときは、撮影レンズ１０のからの光束はシャッタ１２および撮像素子１３に導かれる。このとき、図示しないレリーズ釦の全押しにより、制御部１４はシャッタ１２を駆動させて、撮像素子１３により被写体像を撮影する。
【００１３】
図２は撮像素子１３の構成を示す概要図である。撮像素子１３の受光面には光電変換素子が２次元配列され、各光電変換素子がそれぞれ１画素を構成する。また光電変換素子の列単位に垂直読み出し線（図示を省略する）が設けられている。そして、これらの垂直読み出し線の出力端には水平読み出し線１３ａが設けられており、この水平読み出し線１３ａの出力が制御部１４に接続されている。
【００１４】
また、撮像素子１３は、制御部１４がアドレス指定した光電変換素子の画像信号をランダムアクセスで読み出すことが可能である。すなわち、第１実施形態の撮像素子１３は、図２に示す有効画素領域の全画素読み出し時と縦横比が同一で、横方向画素数が上記の全画素読み出し時の縦方向画素数と一致する範囲の部分読みだし（図中一点鎖線で示す）や、上記矩形領域を９０度回転させた範囲での部分読み出し（図中二点鎖線で示す）を行うことができる。なお、撮像素子１３から出力された画像信号は、Ａ／Ｄ変換後に制御部１４で一連の画像処理が施される。そして、画像処理後の撮影画像データはメモリ１６や不図示の記録媒体に記録される。
【００１５】
ファインダ光学系は、拡散スクリーン１７と、視野枠１８と、変倍光学系１９と、ファインダミラー２０と、表示素子２１およびレンズ２２と、ハーフミラー２３と、接眼レンズ２４とを有している。
拡散スクリーン１７はメインミラー１１の上方に位置し、観察位置のメインミラー１１で反射された光束を一旦結像させる。視野枠１８は、拡散スクリーン１７からの光束を部分的に遮光して、ファインダでの被写体像の視野（以下、「視野」と省略して表記する）を規定する。ここで、視野枠１８により調節される視野は操作部材２５によってユーザーが変更することができる。また、操作部材２５には視野枠１８の状態を検出する検出部２６が接続され、検出部２６により視野の現在状態が制御部１４に入力されるようになっている。
【００１６】
変倍光学系１９は、制御部１４によって駆動制御されるズームモータ２７と、ズームモータ２７の動作により複数のレンズの相対間隔を調整するズーム機構とを有する。この変倍光学系１９は視野枠１８を通過した光束に基づく視野内の像を所定の倍率範囲で変倍する。ファインダミラー２０は、変倍光学系１９を通過した光束を反射させてカメラの後方に導く。
【００１７】
ファインダミラー２０の後方には、表示素子２１およびレンズ２２と、ハーフミラー２３と、接眼レンズ２４とが配置されている。表示素子２１はＬＣＤ等で構成され、表示回路１５の指示によりファインダの各種情報（例えば、シャッタ秒時、Ｆ値、ＩＳＯ感度、画像の記録モード、ヒストグラム等）を表示する（図５〜７参照）。
ハーフミラー２３はファインダミラー２０の後方に傾斜配置されており、ファインダミラー２０からの被写体像と、レンズ２２を介した表示素子２１の各種情報の表示とを合成する。そして、ハーフミラー２３で合成された画像は接眼レンズ２４を介してユーザーの目に投影される。
【００１８】
図３は第１実施形態の視野枠１８の構成を示す斜視図である。視野枠１８は、操作部材２５の回転軸に取り付けられた駆動歯車３０と、視野を画面縦方向に調整する第１マスク部材群３１と、視野を画面横方向に調整する第２マスク部材群３２と、を有している。なお、駆動歯車３０の回転軸には検出部２６を構成するエンコーダ２６ａおよび検出スイッチ２６ｂが設けられている。
【００１９】
第１マスク部材群３１は１対の第１マスク部材３３，３４で構成される。２つの第１マスク部材３３，３４は視野の縦方向に間隔をおいて平行に配置されている。そして、各第１マスク部材３３，３４の一面にはカムピン３５がそれぞれ２本ずつ立設されている。
第２マスク部材群３２は１対の第２マスク部材３７，３８で構成される。各第２マスク部材３７，３８は本体部分（３７ａ，３８ａ）と該本体部分から突出した平行な２つの腕部分（３７ｂ，３８ｂ）とを有し、全体としてＣ字状をなしている。そして、２つの第２マスク部材３７，３８は腕部３７ｂ，３８ｂの先端が相互に重なるように対向配置され、各本体部分３７ａ，３８ａは視野の横方向に間隔をおいて配置された状態となっている。すなわち、図３の上下方向からみると第１マスク部材３３，３４と第２マスク部材の本体部分３７ａ，３８ａとは直交し、両者は格子状の位置関係にある。なお、各腕部３７ｂ，３８ｂの位置は、第１マスク部材３３，３４よりも視野の内側にはみ出すことがないように設定されている。
【００２０】
第２マスク部材３７，３８の相互に重なる腕部３７ｂ，３８ｂの内側面には、ラック３９がそれぞれ対向状態で形成されている。また、各腕部３７ｂ，３８ｂの間にはラック３９と歯合する差動歯車４０がそれぞれ配置されている。そして、一方の第２マスク部材３７の一面には、駆動歯車３０と歯合する駆動ラック４１が視野の横方向に沿って形成されている。なお、駆動ラックを一方の第２マスク部材３７の側部に設け、駆動歯車３０の回転軸が第２マスク部材３７と垂直になるようにしてもよい（図３（ｂ）参照）。
【００２１】
また、各第２マスク部材３７，３８の本体部分にはそれぞれ２箇所ずつカム溝４２が形成されている。第２マスク部材群３２の４つのカム溝４２は、それぞれ視野の縦方向および横方向に線対称な配置となるように形成される。そして、各カム溝４２には第１マスク部材群３１のカムピン３５が摺動自在に係合され、第２マスク部材群３２の移動時にはカム溝４２がカムピン３５を案内して第１マスク部材群３１を視野の縦方向に移動させる。
【００２２】
ここで、各カム溝４２の形状はＬ字状に形成され、折り返し点を隔てて第１区間と第２区間とが構成されている。このカム溝４２の第１区間および第２区間は、第２マスク部材群３２の横方向移動に伴って第１マスク部材群３１を以下のように移動させる形状に設定されている。
第１区間の一端は、第２マスク部材の本体部分３７ａ，３８ａの相対間隔が最大となるときのカムピン３５の位置に対応する。第２区間の一端は、第２マスク部材の本体部分３７ａ，３８ａの相対間隔が最小となるときのカムピン３５の位置に対応する。そして、第１区間の他端と第２区間の他端とは接続されており、この接続部が上記の折り返し点を構成している。
【００２３】
カム溝４２の第１区間では、第１マスク部材群３１および第２マスク部材群３２の各相対間隔が縦横比を維持しつつ変化するようにカムピン３５が案内される。第１区間の一端にカムピン３５が位置するときには、視野が全画素読み出し時の撮影画面と対応する第１状態となる。また、第１区間の他端（第２区間の他端）にカムピン３５が位置するときには、視野が第１状態の比例縮小撮影画面に対応する第２状態となる。なお、第２状態での視野の横方向長さは、第１状態の視野の縦方向長さと一致するように設定されている。
【００２４】
一方、第２区間の一端にカムピン３５が位置するときには、視野が第２状態の撮影画面を９０度回転させた撮影画面に対応する第３状態となる。すなわち、カム溝４２の第２区間では、第１マスク部材群３１および第２マスク部材群３２の各相対間隔が縦横比を維持することなく変化することとなる。
第１実施形態の電子カメラは上記のように構成され、以下その動作を説明する。
【００２５】
第１実施形態の電子カメラではユーザーが操作部材２５を回転させると、視野枠１８の第１マスク部材群３１および第２マスク部材群３２が同期して移動し、視野が変更される。すなわち、操作部材２５によって駆動歯車３０が回転すると、駆動歯車３０と歯合した駆動ラック４１によって一方の第２マスク部材３７が視野の横方向に移動する。そして、差動歯車４０の回転によって、他方の第２マスク部材３８が一方の第２マスク部材３７と反対方向に同じだけ移動する。
【００２６】
図４は、第１マスク部材群３１および第２マスク部材群３２の位置関係と、視野との対応関係を示す図である。第２マスク部材の本体部分３７ａ，３８ｂの相対間隔が最大となるときにはカム溝４２の第１区間の一端側にカムピン３５が位置し、視野が全画素読み出し時の撮影画面と対応する第１状態となる（図４（ａ）参照）。
第２マスク部材の本体部分３７ａ，３８ｂの相対間隔を縮めると、視野が横方向に縮小される。このとき、第１区間のカム溝４２がカムピン３５を押圧することで第１マスク部材３３，３４は相対間隔を縮める方向に移動する。なお、第１区間では、各マスク部材群３１，３２がそれぞれ相対間隔の縦横比を維持したまま移動するので、カムピン３５がカム溝４２の第１区間を摺動するときは視野も縦横比を維持しつつ拡縮することとなる。そして、カムピン３５がカム溝４２の第１区間の他端側に至ると、視野は第１状態の縦方向長さまで横方向長さが縮小された第２状態に変換される（図４（ｂ）参照）。
【００２７】
この第２状態の位置から第２マスク部材の本体部分３７ａ，３８ｂの相対間隔をさらに縮めると、カム溝４２の第１区間から第２区間に向けてカムピン３５が折り返す。そして、第２区間のカム溝４２がカムピン３５を押圧して第１マスク部材３３，３４が相対間隔を拡げる方向に移動する。カムピン３５がカム溝４２の第２区間の一端側に至ると、視野は第２状態の形状を９０度回転させた第３状態に変換される（図４（ｃ）参照）。
【００２８】
一方、制御部１４は、エンコーダ２６ａおよび検出スイッチ２６ｂによって視野の現在状態をモニタする。そして、制御部１４は撮像素子１３の画素読み出し領域を視野と一致する領域に設定する。これにより、レリーズにより撮影される撮影画像と、ファインダでの被写体像の視野とが一致することとなる。
また、制御部１４は、視野の画像サイズが第１状態の画像サイズと一致するように、変倍光学系１９の倍率をズームモータ２７で調整する。さらに制御部１４は、視野の画像の正位置、縦位置の変化に応じて、表示回路１５にファインダ画面の各種情報の表示位置を変更させる。
【００２９】
ここで、図５から図７にファインダの表示例を示す。図５に示すように、第１実施形態ではファインダ画面は円形状に設定されており、第１状態の視野の画像４３を表示できる領域と、各種情報４４を表示する領域とが確保されている。図５（ｂ）に示すように各種情報４４の表示は視野の画像４３の周囲に表示される。
図６は第２状態におけるファインダの表示例の図である。第２状態において変倍光学系の倍率を第１状態と同一に設定すると、図６（ａ）に示すように視野の画像４３が小さくなり、各種情報４４の表示も視野の画像４３から離れてしまうことからファインダの視認性が低下する。そのため、図６（ｂ）に示すように、第２状態の視野の画像４３を変倍光学系１９で拡大し、図５（ｂ）と同様の表示形式で被写体像を表示することが好ましい。
【００３０】
図７は第３状態におけるファインダの表示例の図である。図７の例では、第３状態の視野の画像４３を変倍光学系１９で拡大し、第１状態の視野の画像４３と同じ大きさで表示している。また、視野の画像４３が正位置から縦位置に変更されたことに伴い、ファインダの各種情報４４の表示位置を変更している。これにより、第３状態においても正位置のときのファインダ画面とさほど違和感のない画面表示形式で被写体像を観察することができる。
【００３１】
（第２実施形態の説明）
図８は第２実施形態の視野枠の構成を示す斜視図である。なお、以下の実施形態において第１実施形態と共通の構成には同一符号を付して重複説明を省略する。
第２実施形態は第１実施形態の変形例であって、視野枠１８の構成のみが第１実施形態と相違する。第２実施形態の視野枠１８は、第１マスク部材群３１と、第２マスク部材群３２と、これらのマスク部材群３１，３２を同期駆動させる駆動機構と、を有している。
【００３２】
第１マスク部材群３１および第２マスク部材群３２には、第１実施形態と同様の形状のマスク部材がそれぞれ用いられる。第２実施形態では、各第１マスク部材３３，３４の横方向の端部にはそれぞれカムピン４７が形成され、各第２マスク部材３７，３８の縦方向の端部にはそれぞれカムピン４８が形成されている。
駆動機構は、操作部材２５と、第１円筒カム４９および第２円筒カム５０と、動力伝達機構５１と、検出部２６を構成するエンコーダ２６ａおよび検出スイッチ２６ｂと、を有している。
【００３３】
第１円筒カム４９には、各第１マスク部材３３，３４のカムピン４７と摺動自在に係合する２本のカム溝４９ａが刻設されている。第１円筒カム４９の回転軸の一方には操作部材２５およびエンコーダ２６ａが配置され、第１円筒カム４９の回転軸の他方には動力伝達機構５１を構成する連動歯車５１ａが配置されている。第１円筒カム４９は操作部材２５の回転で回転し、第１円筒カム４９の回転時にはカム溝４９ａがカムピン４７を押圧して第１マスク部材３３，３４が視野の縦方向に移動するようになっている。
【００３４】
第２円筒カム５０には、各第２マスク部材３７，３８のカムピン４８と摺動自在に係合する２本のカム溝５０ａが刻設されている。第２円筒カム５０の回転軸の一方には動力伝達機構５１を構成する連動歯車５１ｂが配置され、第１円筒カム４９の回転が第２円筒カム５０に伝達される。すなわち、第２円筒カム５０は第１円筒カム４９に同期して回転し、第２円筒カム５０の回転時にはカム溝５０ａがカムピン４８を押圧して第２マスク部材３７，３８が視野の横方向に移動するようになっている。なお、図中矢印で示す動力伝達機構５１には、公知の変則歯車機構（図示を省略する）を配置して歯車の回転数を調整してもよい。
【００３５】
ここで、第２円筒カム５０のカム溝５０ａは、第２円筒カム５０の回転に伴って第２マスク部材群３２の相対間隔を一定比率で変化させる形状に設定されている。一方、第１円筒カム４９のカム溝４９ａは、第１マスク部材群３１および第２マスク部材群３２の各相対間隔が縦横比を維持しつつ変化する第１区間と、上記の各相対間隔が縦横比を維持することなく変化する第２区間とが連続する形状に設定されている。また、カム溝４９ａの第１区間の一端は第２マスク部材群３２の相対間隔が最大となる位置に対応する。そして、第１区間の他端と第２区間の他端とは接続されており、第２区間の一端は第２マスク部材群３２の相対間隔が最小となる位置に対応する。
【００３６】
カム溝４９ａの第１区間の一端にカムピン４７が位置するときには、視野が全画素読み出し時の撮影画面と対応する第１状態となる。また、カム溝４９ａの第１区間の他端（第２区間の他端）にカムピン４７が位置するときには、視野が第１状態の比例縮小撮影画面に対応する第２状態となる。一方、カム溝４９ａの第２区間の一端にカムピン４７が位置するときには、視野が第２状態の撮影画面を９０度回転させた撮影画面に対応する第３状態となる。
【００３７】
上記の第２実施形態の視野枠においても、第１実施形態と同様の効果を得ることができる。特に第２実施形態では、視野の変倍比および縦横比の変動幅を大きく設定しても、第１実施形態と比べて視野枠１８の構成を小さくすることができ、カメラへの実装がより容易となる。
（第３実施形態の説明）
図９は第３実施形態の電子カメラの構成を示す概要図である。第３実施形態は、一対の第１マスク部材３３，３４を含む第１視野枠１８ａと、一対の第２マスク部材３７，３８を含む第２視野枠１８ｂと、第１視野枠１８ａを駆動させる第１モータ５３と、第２視野枠１８ｂを駆動させる第２モータ５４とを有している。制御部１４は、操作部材２５の入力に基づいて第１視野枠１８ａおよび第２視野枠１８ｂをそれぞれ独立して駆動させて視野を調整する。
【００３８】
この第３実施形態では、第１視野枠１８ａによる縦方向の視野と、第２視野枠１８ｂによる横方向の視野とをそれぞれ自由に変化させることができる。すなわち、第３実施形態では、第１実施形態で示した視野の変更も含めて、ファインダ画面の被写体像の視野を自由に変更できる。例えば、縦横比が２：３の１３５フイルムサイズ、縦横比が９：１６のハイビジョンサイズ、縦横比が３：４の標準テレビ／印画紙サイズ、縦横比が１：３のパノラマプリントサイズ、縦横比が１：１．８５のアメリカンビスタサイズ、縦横比が１：２．３５のスコープサイズ等の相互変換も可能である。勿論、第３実施形態においても、撮像素子１３の読み出し領域を視野に対応させるのが好ましい。
【００３９】
図１０は第３実施形態の第１視野枠１８ａおよび第２視野枠１８ｂの構成の一例を示す斜視図である。なお、図１０における第２視野枠１８ｂの構成は第１視野枠１８ａとほぼ同様の構成であって、図１０の上下方向からみて第２視野枠１８ｂは第１視野枠１８ａと９０度回転した位置関係で配置される点で相違する。そのため、本明細書では図１０の例における第１視野枠１８ａの構成のみ説明し、第２視野枠１８ｂの説明は省略する。
【００４０】
第１視野枠１８ａの第１マスク部材３３，３４は、いずれも本体部分（３３ａ，３４ａ）と該本体部分から突出した平行な２つの腕部分（３３ｂ，３４ｂ）とを有し、全体としてＣ字状をなしている。この第１マスク部材３３，３４は、腕部３３ｂ、３４ｂの先端が相互に重なるように対向配置され、本体部分３３ａ，３４ａがそれぞれ視野の縦方向に間隔をおいて配置された状態となっている。
【００４１】
また、第１マスク部材３３，３４には、相互に重なる腕部の外側面にラック５５が背中合わせの位置にそれぞれ形成されている。各ラック５５には第１モータの回転を伝達する駆動歯車５６がそれぞれ歯合している。この駆動歯車５６は、第１モータ５３の回転によりそれぞれ逆方向に同期して回転するように設定されている。以上の構成により、第１モータ５３の回転により、第１マスク部材３３，３４が視野の縦方向にそれぞれ移動してその相対位置が変化し、視野が縦方向に調整される。
【００４２】
図１１は第３実施形態の第１視野枠１８ａおよび第２視野枠１８ｂの構成の他の一例を示す斜視図である。なお、図１１においても第２視野枠１８ｂの構成は第１視野枠１８ａとほぼ同様の構成であって、図１１の上下方向からみて第２視野枠１８ｂは第１視野枠１８ａと９０度回転した位置関係で配置される点で相違する。そのため、本明細書では図１１の例における第１視野枠１８ａの構成のみ説明し、第２視野枠１８ｂの説明は省略する。
【００４３】
第１視野枠１８ａの第１マスク部材３３，３４は、いずれも本体部分（３３ａ，３４ａ）と該本体部分から突出した平行な２つの腕部分（３３ｂ，３４ｂ）とを有し、全体としてＣ字状をなしている。この第１マスク部材３３，３４は、腕部３３ｂ、３４ｂの先端が相互に重なるように対向配置され、本体部分３３ａ，３４ａがそれぞれ視野の縦方向に間隔をおいて配置された状態となっている。
【００４４】
また、第１マスク部材３３，３４には、相互に重なる腕部の内側面にラック５７がそれぞれ対向状態で形成されている。この対向するラック５７の間には差動歯車５８が配置されており、一方の第１マスク部材３３が縦方向のいずれかに移動すると他方の第１マスク部材３４はその反対方向に同じだけ移動するようになっている。また、一方の第１マスク部材３３にはリードナット５９が形成されている。リードナット５９には第１モータ５３の回転を伝達するリードスクリュー６０が螺合されてねじ送り機構が構成されている。以上の構成により、第１モータ５３の回転により、第１マスク部材３３，３４が視野の縦方向にそれぞれ移動してその相対位置が変化し、視野が縦方向に調整される。
【００４５】
（実施形態の補足事項）
以上、本発明を上記の実施形態によって説明してきたが、本発明の技術的範囲は上記実施形態に限定されるものではなく、例えば以下のような形態であってもよい。
（１）視野枠は拡散スクリーンの近傍であればメインミラーと拡散スクリーンとの間に配置してもよい。また、メインミラーをハーフミラーで構成して、撮影レンズの通過光束を撮像素子および光学ファインダの方向に同時に振り分けるようにしてもよい。
【００４６】
（２）第１実施形態では、第１マスク部材群を駆動部で直接的に移動させて、第２マスク部材群をカムで移動させるようにしてもよい。また、第１実施形態において第１マスク部材にカム溝を形成し、第２マスク部材にカムピンを形成してもよい。
（３）第２実施形態では第２円筒カムを操作部材と連結するようにしてもよい。また、上記の第２実施形態において第２円筒カムのカム溝にも、視野の縦横比を維持する第１区間と、視野の縦横比を維持しない第２区間とを設けて、第２マスク部材群の相対間隔を第２区間で急速に変化させるようにしてもよい。
【００４７】
（４）上記実施形態において、視野枠により調整される視野と無関係にズームレンズの倍率を変更し、被写体像の一部をファインダに拡大表示するマグニファイア機能を実現してもよい。
（５）本発明では、全画素読み出しで撮像素子から画像信号を読み出し、画像処理工程などで撮影画像を部分的に切り出すことで、上記実施形態のように最大サイズの部分領域に相当する画像データを生成するようにしてもよい。
【００４８】
（６）また、上記実施形態では、ファインダの視野に合わせて撮像素子の読み出し領域を設定する例を示したが、勿論、撮像素子の読み出し領域に合わせてファインダの視野を調整するようにしてもよい。
【図面の簡単な説明】
【００４９】
【図１】第１実施形態の電子カメラの構成を示す概要図
【図２】撮像素子の構成を示す概要図
【図３】第１実施形態の視野枠の構成を示す斜視図
【図４】第１マスク部材群および第２マスク部材群の位置関係と視野との対応関係を示す図
【図５】（ａ）ファインダにおける被写体像の各視野の対応関係を示す図、（ｂ）第１状態におけるファインダの表示例の図
【図６】第２状態におけるファインダの表示例の図
【図７】第３状態におけるファインダの表示例の図
【図８】第２実施形態の視野枠の構成を示す斜視図
【図９】第３実施形態の電子カメラの構成を示す概要図
【図１０】第３実施形態の視野枠の構成の一例を示す斜視図
【図１１】第３実施形態の視野枠の構成の他の一例を示す斜視図
【符号の説明】
【００５０】
１３…撮像素子、１４…制御部、１８，１８ａ，１８ｂ…視野枠、１９…変倍光学系、２５…操作部材、２６…検出部、３０…駆動歯車、３１…第１マスク部材群、３２…第２マスク部材群、３３，３４…第１マスク部材、３７，３８…第２マスク部材、３５，４７，４８…カムピン、４０…差動歯車、４２…カム溝、４９…第１円筒カム、５０…第２円筒カム、５１，５１ａ，５１ｂ…動力伝達機構
【図１】
2006285009.tif 000003
【図２】
2006285009.tif 000004
【図３】
2006285009.tif 000005
【図４】
2006285009.tif 000006
【図５】
2006285009.tif 000007
【図６】
2006285009.tif 000008
【図７】
2006285009.tif 000009
【図８】
2006285009.tif 000010
【図９】
2006285009.tif 000011
【図１０】
2006285009.tif 000012
【図１１】
2006285009.tif 000013